(57)【要約】【課題】本発明は、商品物流サービスシステム及びその偽造品認識方法であって、従来技術が商品物流サービスの際に偽造品認識機能を提供できない欠点を解決し、商品物流サービスシステムを提案する。【解決手段】商品物流サービスシステムの認証センタ１２内には、少なくともデータベースユニット及び審査ユニットを備える。データベースユニット内に全ての商品の電子ラベル３０の情報を格納する。審査ユニット内には適法的な商品データを記録し、本発明に係るブランドセンタの商品管理ユニット、認証センタの審査ユニット及び前記の商品記録方式により、偽造商品を認識することができる。【選択図】図１
2008262463.tif 000002
【特許請求の範囲】
【請求項１】
インターネットを介して電子ラベルを有する少なくとも一つの商品の物流情報を管理し、且つ前記商品の偽造品を認識する商品物流サービスシステムであって、
第１のアクセス制御ユニット、前記商品の電子ラベル情報、口座番号情報、登録情報及び物流情報を記憶するデータベースユニット、及び前記商品の合法性を審査し、前記商品の偽造品を認識する審査ユニットを有する認証センタと、
第２のアクセス制御ユニット、商品管理ユニット、製造管理ユニット、消費者管理ユニット、販売記録ユニット及び検証サービスユニットを含み、前記第２のアクセス制御ユニット、前記商品管理ユニット、前記製造管理ユニット及び前記消費者管理ユニットからの情報を前記審査ユニットの審査根拠とするブランドセンタと、
品質管理ユニット及び在庫管理ユニットを含み、前記製造管理ユニットのオーダニーズ指令を受信し、前記商品を製造しかつ前記品質管理ユニットにより合格と認め認められた商品の在庫数を前記在庫管理ユニットに記録し、前記合格と認められた商品を前記審査ユニット及び前記製造管理ユニットに登録する製造センタと、
盗難防止ユニット、及び前記審査ユニットにより審査されパスした商品の登録を実行する商品登録ユニットを有する販売センタと、
消費者が前記インターネットを介して前記ブランドセンタに連結し商品が適法であるか否かを検証する検証サービスユニットを有する消費センタと、を含む商品物流サービスシステム。
【請求項２】
さらに、前記製造センタ、前記ブランドセンタ、前記販売センタ及び前記消費センタに設けられた商品電子読取ユニットを含み、前記商品の物流情報を収集しかつ前記商品の物流情報を前記審査ユニットに送信することを特徴とする請求項１記載の商品物流サービスシステム。
【請求項３】
さらに、前記販売センタ及び前記ブランドセンタに設けられた返品処理ユニットを含み、前記消費センタからの返品要求を処理することを特徴とする請求項１記載の商品物流サービスシステム。
【請求項４】
さらに、適法な商品データベースを有する携帯式電子装置を含み、前記製造センタの在庫管理ユニットに記録された商品が適法に登録されたか否かを検証することを特徴とする請求項１記載の商品物流サービスシステム。
【請求項５】
前記消費者管理ユニットは、消費者による登録及び商品の販売分析に用いられることを特徴とする請求項１記載の商品物流サービスシステム。
【請求項６】
前記ブランドセンタは、さらに、商品分割、顧客類型、代理店、販売周期、消費者購買習慣及び販売行為を分析し、前記商品の毎日の販売情報をフィードバックする分析処理ユニットを含むことを特徴とする請求項１記載の商品物流サービスシステム。
【請求項７】
前記ブランドセンタは、さらに、商品の品目について一対の識別情報を有する商品検証カードを作成する検証カード提供ユニットを含むことを特徴とする請求項１記載の商品物流サービスシステム。
【請求項８】
前記品質管理ユニットは、商品登録器及び商品コード発生器を含むことを特徴とする請求項１記載の商品物流サービスシステム。
【請求項９】
前記販売センタは、さらに、一対の識別情報を有する商品検証カードを前記消費センタに提供するための検証サービスユニットを含むことを特徴とする請求項１記載の商品物流サービスシステム。
【請求項１０】
前記販売センタは、さらに、合格と認められた商品を記録するための商品在庫情報ユニットを含むことを特徴とする請求項１記載の商品物流サービスシステム。
【請求項１１】
インターネットを介して電子ラベルを有する少なくとも一つの商品の物流情報を管理する商品物流サービスシステムにおける偽造品認識方法であって、
商品製造オーダメッセージ及び電子ラベルを製造センタの在庫管理ユニットへ送信するステップと、
合格と認められた商品を前記認証センタの審査ユニット及び前記ブランドセンタの製造管理ユニットに登録するステップと、
前記合格と認められた商品が適法に登録されたか否かを確認するステップと、
品質管理を完了した商品を前記ブランドセンタの商品管理ユニットに転送して記録するステップと、
商品管理ユニットに記録された商品が適法に登録されたか否かをチェックするステップと、
前記販売センタの商品在庫情報ユニットに商品を記録し且つ商品登録ユニットに適法に登録の動作をするステップと、
問合せメッセージを転送し商品が適法に登録されたか否かを判別するステップと、
商品に数量限定があるか否かを判断するステップと、
会計をすませるステップと、を含む商品物流サービスシステムにおける偽造品認識方法。
【発明の詳細な説明】
【技術分野】
【０００１】
本発明は、商品物流サービスシステム及び商品物流サービスシステムにおける偽造品認識方法に係り、特に、消費者、ブランドメーカ、製造メーカ及び物流業者の多くの方面の流通ルート（卸売り、代理店及び小売）の間で適法な商品を管理する物流サービスシステム、及び前記多方面の流通ルートによる偽造商品の流通を認識し防止する方法の提供を指す。
【背景技術】
【０００２】
現在、物流管理においては、大部分が人手による入力方法またはバーコードによる入力方法で商品データを記録しており、即時にデータが提供できないため、クライアントは自身がオーダした商品のデータをリアルタイムに知ることはできず、電話問合せや電子メールにより商品のデータを得る。便利な物流管理を提供するため、多くのソフトウェア及びハードウエアのメーカが、公知技術に合せて、例えば、ＲＦＩＤ（Radio Frequency IDentification）システムの技術を利用して便利な物流管理の仕組みを設計しており、クライアントが簡単に商品のデータをリアルタイムに手に入れるようにしている。
【０００３】
前記のＲＦＩＤシステムを使用することに応じて、ＲＦＩＤリーダを何れか一つの位置に設置し並びにＲＦＩＤタグを何れか一つの商品に貼付し、かつ、ＲＦＩＤタグの全ての情報をＲＦＩＤシステムのデータベース内に記憶する。これにより、ＲＦＩＤタグが貼付された商品が移動すると、ＲＦＩＤリーダが商品の移動情報をＲＦＩＤシステムのセンターコントロールサーバに転送し、センターコントロールサーバがネットワークを介して移動情報をある問合せ者に転送できる。このようにして、クライアント、製造メーカ及びブランドメーカなどが、ともに、商品の移動のデータを得られる。
【０００４】
しかしながら、前記のＲＦＩＤシステムは、商品の移動の監視、制御動作を達成できるが、偽造品が物流管理システム内に侵入することを予防できない。これは、このようなＲＦＩＤシステムが偽造品認識機能のシステムを設置していないためである。
【発明の開示】
【発明が解決しようとする課題】
【０００５】
前記のＲＦＩＤシステムが偽造品認識機能を設置していないことに鑑みて、本発明者が商品物流サービスシステム及びその偽造品認識方法を提案する。本発明の目的は、消費者、ブランドメーカ、製造メーカ及び物流業者の多くの方面の流通ルート（卸売り、代理店及び小売）の間で適法な商品を管理する物流サービスシステム、及び前記多方面の流通ルートでの偽造商品の流通を防止する方法を提供することである。
【課題を解決するための手段】
【０００６】
前記目的を達成するため、本発明は、インターネットを介して電子ラベルを有する少なくとも一つの商品の物流情報を管理し、並びに前記商品の偽造品の発生を防止する商品物流サービスシステムであって、第１のアクセス制御ユニット、前記商品の電子ラベル情報、口座番号情報、登録情報及び物流情報を記憶するデータベースユニット、及び前記商品の合法性を審査し、前記商品の偽造品の発生を防止する審査ユニットを有する認証センタと、第２のアクセス制御ユニット、商品管理ユニット、製造管理ユニット、消費者管理ユニット、販売記録ユニット及び検証サービスユニットを含み、前記第２のアクセス制御ユニット、前記商品管理ユニット、前記製造管理ユニット及び前記消費者管理ユニットからの情報を前記審査ユニットの審査根拠とするブランドセンタと、品質管理ユニット及び在庫管理ユニットを含み、前記製造管理ユニットのオーダニーズ指令を受信し、前記商品を製造しかつ前記品質管理ユニットにより合格と認められた商品の在庫数を前記在庫管理ユニットに記録し、前記合格と認められた商品を前記審査ユニット及び前記製造管理ユニットに登録する製造センタと、盗難防止ユニット、及び商品の製造後、授権及び検証が完成された商品の登録を実行する商品登録ユニットを有する販売センタと、消費者が前記インターネットを介して前記ブランドセンタに連結し商品が適法であるか否かを検証する検証サービスユニットを有する消費センタと、を含む商品物流サービスシステムを提供する。
【０００７】
さらに、本発明は、商品製造オーダメッセージ及び電子ラベルを製造センタの在庫管理ユニットへ送信し、前記合格と認められた商品を前記認証センタの審査ユニット及び前記ブランドセンタの製造管理ユニットに登録し、前記合格と認められた商品が適法登録されたか否かを確認し、品質管理を完了した商品を前記ブランドセンタの商品管理ユニットに転送して記録し、商品管理ユニットに記録された商品が適法登録されたか否かを確認し、前記販売センタの商品在庫情報ユニットに商品を記録し並びに商品登録ユニットに適法に登録の動作をし、問合せメッセージを転送し商品が適法に登録されたか否かを判別し、商品が数量限定の特定の商品であるか否かを判断し、会計を実行するステップ、を含む商品物流サービスシステムにおける偽造品認識方法を提供する。
【発明の効果】
【０００８】
本発明によれば、消費者、ブランドメーカ、製造メーカ及び物流業者の多くの方面の流通ルート（卸売り、代理店及び小売）の間で適法な商品を管理する物流サービスシステム、及び前記多方面の流通ルートでの偽造商品の流通を防止することができる。
【発明を実施するための最良の形態】
【０００９】
以下に添付図面を用いて本発明の詳細な実施の形態について説明する。図１は、本発明の実施の形態に係る商品物流サービスシステムを示す図である。図１を参照すると、本発明は、インターネットを介して電子ラベルを有する少なくとも一つの商品の物流情報を管理し、前記商品の偽造品の発生を防止できる。本発明の商品物流サービスシステムは、電子ラベル３０を有する商品３、インターネット１０、認証センタ１２、製造センタ１４、ブランドセンタ１６、販売センター１８及び消費センタ２０を含む。
【００１０】
該認証センタ１２は、インターネットを介して製造センタ１４、ブランドセンタ１６、販売センター１８及び消費センタ２０に接続できる。前記の認証センタ１２は認証サーバで、製造センタ１４は製造先のサーバで、ブランドセンタ１６がブランド先のサーバで、更に販売センター１８が販売先のサーバであれば良い。以下に述べられた製造センタ１４、ブランドセンタ１６、販売センター１８及び消費センタ２０が持っている認証情報は、ともに認証センタ１２に転送される。
【００１１】
添付図面を参照しながら前記各センタの間の関係及び動作フローを説明する。図２は、本発明の実施の形態に係る認証センタと商品との間の関係を示す図である。図２を参照すると、該認証センタ１２は、第１のアクセス制御ユニット１２０と、データベースユニット１２２と、審査ユニット１２４とを有する。第１のアクセス制御ユニット１２０は、製造センタ１４、ブランドセンタ１６及び販売センター１８へ口座番号管理機能及び登録管理機能を提供する。データベースユニット１２２は、前記商品３の電子ラベル３０の情報、口座番号情報、登録情報及び物流情報を記憶する。審査ユニット１２４は、前記商品３の合法性を審査し、前記商品３の偽造品の発生を防止する。
【００１２】
審査ユニット１２４による品質管理検査を受けた商品３に対する審査にあたって、商品３に張付けられている電子ラベル３０に授権済み又は登録済みの情報があるかをチェックし、あると確認した場合、認証を中止する。一方、前記情報がないと確認した場合、商品３の登録を行い、エンコードによる認証コードを作成し、当該認証コードをデータベースユニット１２２、審査ユニット１２４及び商品３の電子ラベル３０に記憶する。
【００１３】
検証ユニット１２４の内部に商品物流情報（商品売買情報）、電子ラベル３０情報、商品登録情報及び商品認証コードなどが記憶され、検証ユニット１２４の内部の情報がデータベースユニット１２２と同期処理の動作を実行する。検証ユニット１２４は、製造センタ１４が品質管理工程を完了した後に登録したオーダ数だけ、消費センタ２０が製造センタ１４により登録した商品３を取り出すか、ブランドセンタ１６が適法な商品を有するデータベースの電子装置を使用することによって、該商品３が適法であるか否かを審査する。また、審査ユニット１２４は、携帯式電子装置に組み込まれ、データベースユニット１２２のデータベースにある情報の一部と同期更新を行い、オフラインで適法性を審査することができる。
【００１４】
図３は、本実施の形態に係る認証センタと商品及び製造センタとの間の関係を示す図である。図３を参照すると、製造センタ１４は、品質管理ユニット１４０、在庫管理ユニット１４２及び商品電子読取ユニット１４４を含んでいる。製造センタ１４はブランドセンタ１６から転送された製造オーダ数メッセージを受信し、かつ該製造オーダ数メッセージの内容によって前記商品３を製造する。品質管理ユニット１４０は、以下の二つの機能を有する。その１．）ブランドセンタ１６から送信した電子ラベル３０毎に良好であるか否かを検査する。その２．）良好な電子ラベル３０を有する商品３を品質管理ユニット１４０により検査し合格であると認められた後に記録及び登録の動作を行う。品質管理ユニット１４０は、前記の製造オーダ数メッセージ及び該製造オーダ数メッセージに基づいて発生した商品総量制御管理情報をも記憶しており、該商品総量制御管理情報が製造商品の総量を制御する。品質管理ユニット１４０に電子ラベル３０がＮＧ品であると認められると、電子ラベル３０の情報をインターネット１０を介してブランドセンタ１６へ転送し処理させ、そして、ブランドセンタ１６により電子ラベル３０の数を製造センタ１４へ補足させる。
【００１５】
品質管理ユニット１４０でパスした電子ラベル３０を製造完了した商品３に貼り付け、品質管理ユニット１４０により合格と認められ且つ電子ラベル３０が貼り付けされた商品３を在庫管理ユニット１４２に記録し、且つ、電子ラベル３０の情報を審査ユニット１２４及び製造管理ユニット１６４に登録する。在庫管理ユニット１４２内にはオーダ内容や出荷状況及び在庫状況が記録され、電子ラベル３０が貼り付けされた商品３が登録されると、品質管理ユニット１４０は、登録された商品３の数が前記の商品総量制御管理情報を超えたか否かを検査する。検査の結果、登録された商品３の数が前記の商品総量制御管理情報を超えていれば、続いて登録しようとする商品３の登録動作が実行できなくなる。該品質管理ユニット１４０は、商品登録器１４００及び商品コード発生器１４０２を含み、品質管理ユニット１４０が、品質管理ユニット１４０により合格と認められた商品３毎に個別に登録し、並びに個別に商品コードを作成する。
【００１６】
図４は、本発明の実施の形態に係るブランドセンタ１６と商品及び製造センタとの間の関係を示す図である。図４を参照すると、ブランドセンタ１６は、第２のアクセス制御ユニット１６０、商品管理ユニット１６２、製造管理ユニット１６４、消費者管理ユニット１６６、販売記録ユニット１６８、検証サービスユニット１７０、分析処理ユニット１７２、検証カード提供ユニット１７４、返品処理ユニット１７５、商品電子読取ユニット１７６及び携帯式電子装置１７８を含む。第２のアクセス制御ユニット１６０、商品管理ユニット１６２、製造管理ユニット１６４及び消費者管理ユニット１６６からの情報が、検証サービスユニット１７０の検証根拠である。
【００１７】
前記ブランドセンタ１６の第２のアクセス制御ユニット１６０は、製造センタ１４及び販売センター１８の口座番号の保護、口座番号の新規加入／削除などを管理し、また、第２のアクセス制御ユニット１６０も消費センタ２０の口座番号の申し込みの動作を管理する。商品管理ユニット１６２には商品カタログ情報及び在庫情報などが記憶され、商品管理ユニット１６２は、製造センタ１４の品質管理ユニット１４０により検証し適法とされた新商品３に商品３の設定プロフィール（product profile）を新規作成及び編集するサービスに提供する。商品管理ユニット１６２が一つの新商品３を新規に追加すると、新商品３と同時に一対の商品キーが発生し、そのうち一つが製造センタ１４へ転送されて商品３の品目を発生し、もう一つが認証センタ１２へ転送されることで、消費者が商品３の合法性を検証できるようになる。
【００１８】
商品管理ユニット１６２の設定プロフィール内には、少なくとも、登録終了した商品３毎の画像データ、商品３毎に対応する電子ラベル３０の情報及び商品３の仕様などのデータが記憶される。適法な商品３上の電子ラベル３０が盗まれ他の偽造商品３に用いられる時、偽造商品３が適法に検証されていない状態で、偽造商品３の所有者がブランドセンタ１６に偽造商品３を売ると、ブランドセンタ１６は偽造商品３上の電子ラベル３０のデータを読取って認証の手順、即ち、認証センタ１２の審査ユニット１２４により得た偽造商品３の電子ラベル３０が適法であるか否かの判断を行う。偽造商品３の電子ラベル３０が適法に認証されると、ブランドセンタ１６は、偽造商品３に貼り付けられた電子ラベル３０が適法であると認証するが、此の際、ブランドセンタ１６は、製造センタ１４の品質管理ユニット１４０により、商品管理ユニット１６２の設定プロフィール内に記憶された電子ラベル３０に対応した適法商品３の画像データを得て、これによって適法な電子ラベル３０を有する商品３が偽造品で適法商品３ではないことを判断できる。製造管理ユニット１６４は商品オーダ情報を記憶しており、商品オーダ情報に基づいて商品オーダ要求指令を作成する。
【００１９】
消費者管理ユニット１６６は、消費者へ登録内容を提供し並びに商品３の販売状態を分析する。販売記録ユニット１６８は、商品３のオーダ状態及び商品販売状態などを記録する。分析処理ユニット１７２は、市場分析の仕組み及び商品処理の仕組みを有し、分析処理ユニット１７２は、販売記録ユニット１６８の情報に基づいて市場を分析し、商品分割計画、顧客類型、代理店、販売周期、消費者購買習慣及び販売行為を理解し、前記商品３の毎日の販売情報をフィードバックする。これによってブランドセンタ１６は、市場分析の仕組みによって特定消費者のグループについて顧客向けのサービスを提供できる。検証カード提供ユニット１７４は、数量限定の特定商品３に対して商品検証カードを作成し、該商品検証カードが一対の識別情報を有し、その内の１つは商品３の電子ラベル３０、他の１つは数量限定の特定商品３のラベルである。返品処理ユニット１７５は、返品商品３の品目及び消費センタ２０による返品理由によって返品要求を処理する。
【００２０】
携帯式電子装置１７８の内部には、商品３の適法な登録情報を記憶したデータベースがあり、該データベースがメモリ内に格納される。携帯式電子装置１７８はＰＤＡ、データコレクターまたはスマートフォンであれば良い。ブランドセンタ１６は携帯式電子装置１７８で該製造センタ１４、ブランドセンタ１６及び販売センター１８の商品３が適法に登録されているか否かを検出できる。
【００２１】
図５は、本発明の実施の形態に係る販売センタ１８と商品３、消費センタ２０、認証センタ１２及び製造センタ１４との間の関係を示す図である。図５を参照すると、販売センタ１８は、盗難防止ユニット１８０と、販売サービスユニット１８２と、商品登録ユニット１８４と、検証サービスユニット１８６と、商品電子読取ユニット１８８、商品在庫情報ユニット１９０と、返品処理ユニット１９２とを含む。先ず、該販売センタ１８は、ブランドセンタ１６の販売記録ユニット１６８へオーダニーズ指令を送信する。ブランドセンタ１６は、製造センタ１４の品質管理ユニット１４０により合格と認められた商品３を販売センタ１８に転送し、商品在庫情報ユニット１９０内に記録し、販売センタ１８に記録された商品３が売れた後に、売れたことを示す情報を販売サービスユニット１８２及び認証センタ１２の審査ユニット１２４内に送信する。盗難防止ユニット１８０は、商品３の電子ラベル３０の間に存在するセンサの仕組みにより商品３が盗まれることを防止する。
【００２２】
消費センタ２０は、販売センタ１８から該商品３を得たときに、商品電子読取ユニット１８８が商品３の電子ラベル３０の情報を読み取り、且つ、商品３の電子ラベル３０から得た情報を商品登録ユニット１８４へ送信して商品３を登録する。また、この情報をインターネット１０を介してブランドセンタ１６の販売記録ユニット１６８へ転送し、商品３の出荷した状態を記録し、最後に、検証サービスユニット１８６から一対の識別情報を有する商品検証カードを消費センタ２０に提供する。返品処理ユニット１９２は、返品商品３の品目及び消費センタ２０の返品理由によって返品要求を処理する。消費センタ２０が正常手順（即ち、会計完了）を経てなく販売センタ１８から該商品３を得ると、盗難防止ユニット１８０が、警報信号を転送しかつ該警報信号によって警報器（図示せず）を駆動し、或いはインターネット１０を介して該警報信号を警察ユニット（図示せず）へ送信する。
【００２３】
図６は、本発明の実施の形態に係る消費センタと認証センタ、製造センタ、ブランドセンタ及び販売センタとの間の関係を示す図である。図６を参照すると、消費センタ２０は、検証サービスユニット２００と、商品読取ユニット２０２とを有し、消費者が前記インターネット１０を介して前記ブランドセンタ１６に連結し商品が適法であるか否かを検証できるようにする。
【００２４】
図７は、本発明に係る商品物流サービスシステムの偽造品認識方法のフローチャートである。該フローチャートの流れを詳しく説明するため、前記図１〜図６を合せて参照しながら前記各センタの間の関係、及び各センタがこのフローにどのように配合すれば偽造品認識の目的を達成できるかを説明する。
【００２５】
図７では、本商品物流サービスシステムは、インターネットを介して電子ラベルを有する少なくとも一つの商品の物流情報を管理し、ブランドセンタ１６の製造管理ユニット１６４が、商品製造オーダメッセージ及び該商品製造オーダ数に相当する電子ラベル３０を該製造センタ１４の在庫管理ユニット１４２へ送信する（Ｓ１００）。該製造センタ１４が製造管理ユニット１６４からの商品製造オーダメッセージを受信した後に、オーダ数に符合する商品３を製造する。商品３毎の電子ラベル３０がともに製造センタ１４の品質管理ユニット１４０の検査工程を経て、合格と認められた商品３の在庫数及び電子ラベル３０の情報が、ともに製造センタ１４の在庫管理ユニット１４２に記録され、認証センタ１２の審査ユニット１２４及びブランドセンタ１６の製造管理ユニット１６４に登録される（Ｓ１０２）。登録された商品３の数が前記の商品総量制御管理情報を超えれば、登録しようとする商品３が登録の動作を実行できなくなる。続いて、合格と認められた商品３を適法に登録したか否かをチェックする（Ｓ１０４）。前記商品３が適法であれば、製造センタ１４が品質管理を完了した商品３をブランドセンタ１６の商品管理ユニット１６２へ転送して記録し（Ｓ１０８）、前記商品３が違法であれば、製造センタ１４へ違法通告を送信する（Ｓ１０６）。
【００２６】
さらに商品管理ユニット１６２に記録された商品３が適法に登録されたか否かを確認する（Ｓ１１０）。前記商品３が適法であれば、前記商品を販売センタ１８の商品在庫情報ユニット１９０内に記録し、商品登録ユニット１８４に適法な登録動作をする（Ｓ１１４）。一方、前記商品３が違法であれば、ブランドセンタ１６へ違法通告を送信する（Ｓ１１２）。続いて、商品３の会計作業に移行し（Ｓ１１６）、消費センタ２０が代表する消費者が、販売センタ１８から一つの商品３を取り出すと、商品電子読取ユニット１８８が商品登録ユニット１８４に問合せメッセージを送信し商品３が適法に登録されたか否かを判断する（Ｓ１１８）。商品３が違法だと判断されると、販売センタ１８へ違法通告を送信する（Ｓ１２０）。一方、商品３が適法であると判断されると、販売センタ１８は消費センタ２０が取り出した商品３が数量限定の特定の商品３であるか否かを判断する（Ｓ１２２）。数量限定の特定の商品３であれば、販売センタ１８の検証サービスユニット１８６が、一対の識別情報を有する商品検証カードを消費センタ２０に提供する（Ｓ１２４）。該商品検証カードが、ブランドセンタ１６の検証カード提供ユニット１７４により提供され、数量限定の特定の商品３でなければ、商品３の会計作業を直接的に実行する（Ｓ１２６）。販売センタ１８の販売サービスユニット１８２及びブランドセンタ１６の販売記録ユニット１６８が、該商品３が売られたことを記録し（Ｓ１２８）、かつ販売情報を認証センタ１２へ送信し更新を実行する。
【００２７】
本発明は、商品物流サービスシステムの認証センタの審査ユニットの審査仕組み及びブランドセンタ内の商品管理ユニットで偽造商品を認識し、全ての商品が認証センタのデータベースユニットに登録され、且つブランドセンタの商品管理ユニットが、製造センタの品質管理ユニットにより認められた商品データを記録するため、前記審査仕組み及び複数の商品記録方式により偽造商品を防止することを達成できる。
【００２８】
しかし、前記の説明は、単に本発明の好ましい具体的な実施の形態の詳細説明及び図面に過ぎず、本発明の特許請求の範囲を限定するものではない。上述の説明をもとに当該分野における通常の知識を有する当業者が適当に変更や修飾などを実施できるが、それらの実施の内容が本発明の主張範囲内に含まれるべきことは言うまでもないことである。
【図面の簡単な説明】
【００２９】
【図１】本発明に係る商品物流サービスシステムを示す図である。
【図２】本発明に係る認証センタと商品との間の関係を示す図である。
【図３】本発明に係る認証センタ、商品及び製造センタとの間の関係を示す図である。
【図４】本発明に係るブランドセンタ、商品及び製造センタとの間の関係を示す図である。
【図５】本発明に係る販売センタと商品、消費センタ、認証センタ及び製造センタとの間の関係を示す図である。
【図６】本発明に係る消費センタと認証センタ、製造センタ、ブランドセンタ及び販売センタとの間の関係を示す図である。
【図７】本発明に係る商品物流サービスシステムの偽造品認識方法のフローチャートである。
【符号の説明】
【００３０】
３  商品
１０  インターネット
１２  認証センタ
１４  製造センタ
１６  ブランドセンタ
１８  販売センター
２０  消費センタ
３０  電子ラベル
１２０  第１のアクセス制御ユニット
１２２  データベースユニット
１２４  審査ユニット
１４０  品質管理ユニット
１４２  在庫管理ユニット
１４４  商品電子読取ユニット
１４００  商品登録器
１４０２  商品コード発生器
１６０  第２のアクセス制御ユニット
１６２  商品管理ユニット
１６４  製造管理ユニット
１６６  消費者管理ユニット
１６８  販売記録ユニット
１７０  検証サービスユニット
１７２  分析処理ユニット
１７４  検証カード提供ユニット
１７５  返品処理ユニット
１７６  商品電子読取ユニット
１７８  携帯式電子装置
１８０  盗難防止ユニット
１８２  販売サービスユニット
１８４  商品登録ユニット
１８６  検証サービスユニット
１８８  商品電子読取ユニット
１９０  商品在庫情報ユニット
１９２  返品処理ユニット
２００  検証サービスユニット
２０２  商品読取ユニット
【図１】
2008262463.tif 000003
【図２】
2008262463.tif 000004
【図３】
2008262463.tif 000005
【図４】
2008262463.tif 000006
【図５】
2008262463.tif 000007
【図６】
2008262463.tif 000008
【図７】
2008262463.tif 000009